(57)【要約】【目的】音叉の共鳴部の共鳴音による人への癒し効果と、音叉の保持部の形状による視覚的な人への癒し効果の両方の癒し効果を持つクリスタルガラス音叉を提供する。【解決手段】クリスタルガラスを素材とした共鳴部1と、保持部2とで構成されたクリスタルガラス音叉10であって、前記共鳴部1は、前記保持部2を起点とする２個の棒状クリスタルガラス1ａ、１ｂが平行に空間を介して対向した形状であって、前記保持部２には、すくなくとも１個以上の中空部が開けられていることを特徴とするクリスタルガラス音叉とする。【選択図】図１
2015009096.tif 000002
【特許請求の範囲】
【請求項１】
クリスタルガラスを素材とした共鳴部と、保持部とで構成されたクリスタルガラス音叉であって、
前記共鳴部は、前記保持部を起点とするすくなくとも２個以上の棒状クリスタルガラスが平行に空間を介して対向した形状であって、
前記保持部には、すくなくとも１個以上の中空部が開けられており、
前記クリスタルガラス音叉には、前記共鳴部を打音するための打音球が配置されており、前記打音球は、前記クリスタルガラス音叉の保持部の中空部を貫通する連結部材によって保持されていることを特徴とするクリスタルガラス音叉。
【請求項２】
前記打音球は、前記クリスタルガラス音叉が揺れることによって、前記共鳴部を打音し、共鳴部の共振周波数が、３５００〜４５００Ｈｚの範囲であり、人体に対して癒しの効果を与えることを特徴とする請求項１記載のクリスタルガラス音叉。
【請求項３】
前記打音球は、材質が、クリスタルガラス、あるいはパワーストーン、あるいは水晶、あるいは自然石のいずれかが選択されることを特徴とする請求項１または２記載のクリスタルガラス音叉。
【請求項４】
前記クリスタルガラス音叉の保持部に開けられる中空部の形状は、円、半円、楕円、ハート型、鍵型、星型のいずれかが選択され、視覚的な癒し効果を有することを特徴とする請求項１ないし３のいずれか１項記載のクリスタルガラス音叉。
【発明の詳細な説明】
【技術分野】
【０００１】
本発明は、クリスタルガラスを素材とした共鳴部と、保持部とで構成されたクリスタルガラス音叉に関し、前記共鳴部を打音するための打音球が配置されているクリスタルガラス音叉に関する。
【背景技術】
【０００２】
従来、クリスタルガラスの応用に関しては、装飾品、宝飾品、アクセサリ、室内装置品などに加工され応用されている。
【０００３】
特許文献１には、ニ重のクリスタルガラスを重ね、一方を楕円形状とし、他方をＶ字型に加工して、視覚的な美的効果を目的とする身飾品について開示されている。
特許文献２には、回転する鏡の上に、クリスタルガラスを配置し、回転時にオルゴールが鳴る室内装置品が開示されている。
【先行技術文献】
【特許文献】
【０００４】
【特許文献１】特開２００７−３０５１６号公報
【特許文献２】特開２００２−１９４００号公報
【発明の概要】
【発明が解決しようとする課題】
【０００５】
従来のクリスタルガラスの応用に関しては、特許文献１は、視覚的な効果を目的とするものであり、また特許文献２は、視覚的な効果と、オルゴールによる、音による癒し効果を目的としていたが、クリスタルガラスによる、音の効果を利用することは行われていなかった。
【０００６】
本発明の課題は、音叉の共鳴部の共鳴音による人への癒し効果と、音叉の保持部の形状による視覚的な人への癒し効果の両方の癒し効果を持つクリスタルガラス音叉を提供することである。
【課題を解決するための手段】
【０００７】
本発明の請求項１に係るクリスタルガラス音叉は、クリスタルガラスを素材とした共鳴部と、保持部とで構成されたクリスタルガラス音叉であって、前記共鳴部は、前記保持部を起点とするすくなくとも２個以上の棒状のクリスタルガラスが平行に空間を介して対向した形状であって、前記保持部には、すくなくとも１個以上の中空部が開けられており、前記クリスタルガラス音叉には、前記共鳴部を打音するための打音球が配置されており、前記打音球は、前記クリスタルガラス音叉の保持部の中空部を貫通する連結部材によって保持されていることを特徴とするクリスタルガラス音叉である。
【０００８】
本発明の請求項２に係るクリスタルガラス音叉は、前記打音球は、前記クリスタルガラス音叉が揺れることによって、前記共鳴部を打音し、共鳴部の共振周波数が、３５００〜４５００Ｈｚの範囲であり、人体に対して癒しの効果を与えることを特徴とする請求項１記載のクリスタルガラス音叉である。
【０００９】
本発明の請求項３に係るクリスタルガラス音叉は、前記打音球は、材質を、クリスタルガラス、あるいはパワーストーン、あるいは水晶、あるいは自然石のいずれかであることを特徴とする請求項１または２記載のクリスタルガラス音叉である。
【００１０】
本発明の請求項４に係るクリスタルガラス音叉は、前記クリスタルガラス音叉の保持部に開けられる中空部の形状は、円、半円、楕円、ハート型、鍵型、星型のいずれかが選択され、視覚的な癒し効果を有することを特徴とする請求項１ないし３のいずれか１項記載のクリスタルガラス音叉。
【発明の効果】
【００１１】
請求項１，２，３のクリスタルガラス音叉によれば、音叉の共鳴部の共鳴音による人への癒し効果があるクリスタルガラス音叉で、音叉の音量が高く、また、音叉振動の時間が長いクリスタルガラス音叉を提供することでができる。なお、クリスタルガラス音叉は、共鳴部の長さによって、周波数２００〜６０００Ｈｚまでの音を出すことが可能である。
【００１２】
請求項４のクリスタルガラス音叉によれば、視覚的な癒し効果を発揮するクリスタルガラス音叉を提供することでができる。
【００１３】
本発明によれば、音叉の共鳴部の共鳴音による人への癒し効果と、音叉の保持部の形状による視覚的な人への癒し効果の両方の癒し効果を持つクリスタルガラス音叉で、音叉の音量が高く、また、音叉振動の時間が長いクリスタルガラス音叉を提供することでができる。
【図面の簡単な説明】
【００１４】
【図１】実施例１のクリスタルガラス音叉の斜視図。
【図２】実施例１のクリスタルガラス音叉１０を使用者２０に装着した図
【図３】実施例２のクリスタルガラス音叉の図。
【図４】実施例３のクリスタルガラス音叉の図。
【図５】実施例４のクリスタルガラス音叉の図。図５（ａ）は、正面図、図５（ｂ）は、側面図、図５（ｃ）は、底面図である、
【図６】実施例５のクリスタルガラス音叉の図。図６（ａ）は、正面図、図６（ｂ）は、側面図である、
【発明を実施するための形態】
【００１５】
本発明の実施の形態によるクリスタルガラス音叉は、クリスタルガラスを素材とした共鳴部１と、保持部２とで構成されたクリスタルガラス音叉１０であって、前記共鳴部１は、前記保持部２を起点とするすくなくとも２個以上の棒状のクリスタルガラス１ａ、１ｂが平行に空間を介して対向した形状であって、前記保持部には、すくなくとも１個以上の中空部が開けられており、前記クリスタルガラス音叉には、前記共鳴部を打音するための打音球が配置されており、前記打音球は、前記クリスタルガラス音叉の保持部の中空部を貫通する連結部材によって保持されていることを特徴とする。
【００１６】
前記打音球は、前記クリスタルガラス音叉が揺れることによって、共鳴部を打音し、共鳴音の周波数が、３５００〜４５００Ｈｚの範囲であり、人体に対して癒しの効果を与える。
前記共鳴部の共振周波数が、３５００〜４５００Ｈｚの範囲のなかで、特に４０００Ｈｚの音は、特に人体に対する癒し効果が優れている。
【実施例】
【００１７】
（実施例１）
図１は、本発明の実施例１のクリスタルガラス音叉の斜視図である。図１にて、クリスタルガラス音叉１０は、全体がクリスタルガラスを素材とし、加工されて作製されている。クリスタルガラス音叉１０は保持部２と共鳴部１とで構成され、更に前記共鳴部１を打音するための打音球４が連結ワイヤー５によって共鳴部１の近傍に配置されている。
【００１８】
ここで、前記共鳴部１は、前記保持部２を起点とする２個の棒状クリスタルガラス部１ａ、１ｂが平行に空間を介して対向した形状であって、長さＬ、対向平面部の間隔Ｄとして、共鳴部の共振周波数が、３５００〜４５００Ｈｚの範囲に調整されている。
【００１９】
また、保持部２には、中空穴３が開けられており、前記打音球４が連結されている連結ワイヤー５が、前記中空穴３を貫通している。前記打音球は、材質が、クリスタルガラス、あるいはパワーストーン、あるいは水晶、あるいは自然石のいずれかが選択される。
ここで、クリスタルガラス音叉１０全体が揺れることによって、前記打音球４が前記共鳴部１の２個の棒状クリスタルガラス１ａ、１ｂのいずれかを打音すると、共鳴部の共振周波数で、３５００〜４５００Ｈｚの音が発生し、人体に対して癒しの効果を与えることができる。
【００２０】
前記共鳴部の共振周波数が、３５００〜４５００Ｈｚの範囲のなかで、特に４０００Ｈｚの音は、特に人体に対する癒し効果が優れている。
【００２１】
（実施例２）
図２は、実施例１のクリスタルガラス音叉１０を使用者２０に装着した図である。
クリスタルガラス音叉１０の保持部２の中空部３に、更に、固定ワイヤー６が貫通しており、前記固定ワイヤー６が使用者２０の首のかけられて、クリスタルガラス音叉１０が、使用者２０に装着されている。ここで、使用者２０が動くことによって、クリスタルガラス音叉１０、および打音球４が、ランダムに揺れて、前記打音球４が、クリスタルガラス音叉１０の共鳴部の２個の棒状クリスタルガラス１ａ、１ｂのいずれかを打音すると、共鳴部の共振周波数で、３５００〜４５００Ｈｚの音が発生し、人体に対して癒しの効果を与えることができる。
【００２２】
（実施例３）
図３は、実施例２のクリスタルガラス音叉の図である。図３（ａ）は、保持部に丸型の中空穴３１、およびハート型の中空穴３２が開けられたクリスタルガラス音叉であり、また図３（ｂ）は、保持部にカギ型の中空穴３３が開けられたクリスタルガラス音叉である。
なお図３（ａ）、図３（ｂ）には、打音球は図示されていないが、打音球は、適宜、前記中空穴３１，３２，３３を利用して、連結ワイヤーを貫通させて打音球を取り付けることができる。
【００２３】
図３（ａ）、図３（ｂ）のクリスタルガラス音叉には、寸法が記載されている、寸法の単位は、ｍｍであって、長さ６２ｍｍ、棒状クリスタルガラス１ｃ、１ｄおよび１ｅ，１ｆの長さは、３０ｍｍ、対向する間隔寸法は、６ｍｍに設定されている。
この寸法の条件にて、共鳴部の共振周波数が、３５００〜４５００Ｈｚの範囲となり、人体に対して癒し効果を与える音を発生する。
【００２４】
（実施例４）
図４は、実施例３のクリスタルガラス音叉の図である。図４（ａ）は、正面図、図４（ｂ）は、図４（ａ）の斜視図である。本実施例３のクリスタルガラス音叉は、保持部２ｃに、複数の形状の中空穴が開けられており、視覚的な癒し効果も、発揮するクリスタルガラス音叉である。
【００２５】
即ち、保持部２ｃには、中央近傍に、ハート型の中空穴３９が開けられ、その周囲に半円形状の中空穴３５、３６，３７，３８、および円形状の中空穴３４が開けられている。
これら中空穴の配列によって、視覚的な癒し効果が、発揮される。
更に、共鳴部を構成する棒状クリスタルガラス１ｇ，１ｈは、共振周波数が、３５００〜４５００Ｈｚの範囲となり、この音は、人体に対して癒し効果を与える音を発生する。
【００２６】
なお図４（ａ）、図４（ｂ）には、打音球は図示されていないが、打音球は、適宜、前記中空穴３４，３５，３６、３７，３８、３９を利用して、連結ワイヤーを貫通させて打音球を取り付けることができる。また、いずれかの中空穴に、固定ワイヤーを貫通させて、先の図２（実施例２）のように、使用者の首、あるいは腕、腰などへ固定することもできる。
【００２７】
（実施例５）
図５は、実施例４のクリスタルガラス音叉の図であり、図５（ａ）は、正面図、図５（ｂ）は、側面図、図５（ｃ）は、底面図である。図５のクリスタルガラス音叉は、４個の棒状クリスタルガラス部７ａ，７ｂ，７ｃ，７ｄを有しており、前記棒状クリスタルガラス部７ａ，７ｂ，７ｃ，７ｄにて、共鳴部７０を構成している。前記棒状クリスタルガラス部７ａ，７ｂ，７ｃ，７ｄを保持している保持部には、中空穴４０，４１，４２が開けられている。中空穴４０は、クリスタルガラス音叉の板の厚み方向に穴が開けられており、また、中空穴４１，４２は、保持部の上側の両側の突起部分にて、面方向に穴が開けられている。
【００２８】
ここで、打音球（図示していない）が、前記打音球を保持する連結ワイヤにて、前記中空穴４０，４１，４２のいずれかを貫通して保持される。クリスタルガラス音叉全体が揺れることによって、前記打音球も揺れて、共鳴部７０の棒状クリスタルガラス部７ａ，７ｂ，７ｃ，７ｄのいずれかに打音球が当たると、当たった棒状クリスタルガラス部と、その隣接した棒状クリスタルガラス部との２個の棒状クリスタルガラス部間で、音叉振動が起こり、共振周波数が、３５００〜４５００Ｈｚの範囲となり、この音は、人体に対して癒し効果を与える音を発生する。また、前記２個以外の棒状クリスタルガラス部は、音叉振動に対して、補助的な効果を与え、特に音叉振動の音の音量を増加する効果、および、音叉振動の時間を長くする効果を発揮する。
【００２９】
（実施例６）
図６は、実施例５のクリスタルガラス音叉の図である。図６（ａ）は、正面図、図６（ｂ）は、側面図である、図６のクリスタルガラス音叉は、３個の棒状クリスタルガラス部８ａ，８ｂ，８ｃ，を有しており、前記棒状クリスタルガラス部８ａ，８ｂ，８ｃにて、共鳴部８０を構成している。前記棒状クリスタルガラス部８ａ，８ｂ，８ｃを保持している保持部には、中空穴４３，４４，４５が開けられている。中空穴４３は、クリスタルガラス音叉の板の厚み方向に穴が開けられており、また、中空穴４４，４５は、保持部の両側に突き出た突起部分にて、面方向に穴が開けられている。また、９は、空洞部である。
【００３０】
ここで、打音球（図示していない）が、前記打音球を保持する連結ワイヤにて、前記中空穴４３，４４，４５のいずれかを貫通して保持される。クリスタルガラス音叉全体が揺れることによって、前記打音球も揺れて、共鳴部８０の棒状クリスタルガラス部８ａ，８ｂ，８ｃのいずれかに打音球が当たると、当たった棒状クリスタルガラス部と、その隣接した棒状クリスタルガラス部との２個の棒状クリスタルガラス部間で、音叉振動が起こり、共振周波数が、３５００〜４５００Ｈｚの範囲となり、この音は、人体に対して癒し効果を与える音を発生する。また、前記２個以外の棒状クリスタルガラス部は、音叉振動に対して、補助的な効果を与え、特に音叉振動の音の音量を増加する効果、および、音叉振動の時間を長くする効果を発揮する。
【産業上の利用可能性】
【００３１】
本発明のクリスタルガラス音叉によれば、音叉の共鳴部の共鳴音による人への癒し効果と、音叉の保持部の形状による視覚的な人への癒し効果の両方の癒し効果を持つクリスタルガラス音叉を提供することができ、使用者および、その周辺の人達に、癒し効果を与えて健康改善に活用できる。
【符号の説明】
【００３２】
１，７０，８０      共鳴部
１ａ、１ｂ，１ｃ，１ｄ，１ｅ，１ｆ，１ｇ，１ｈ    棒状クリスタルガラス部
２      保持部
３      中空穴
４      打音球
５      連結ワイヤー
６      固定ワイヤー
７ａ，７ｂ，７ｃ，７ｄ    棒状クリスタルガラス部
８ａ，８ｂ，８ｃ，        棒状クリスタルガラス部
９  空洞
１０    クリスタルガラス音叉
２０    使用者
４０，４１，４２，４３，４４，４５    中空穴
Ｌ      共鳴部の棒状クリスタルガラスの長さ
Ｄ      共鳴部の棒状クリスタルガラスの対向面の間隔寸法
【図１】
2015009096.tif 000003
【図２】
2015009096.tif 000004
【図３】
2015009096.tif 000005
【図４】
2015009096.tif 000006
【図５】
2015009096.tif 000007
【図６】
2015009096.tif 000008